(57)【特許請求の範囲】
【請求項１】
ネットワークのメディアアクセス制御機能を一つ備える制御部を有し、メンテナンス情報のパケットを下位装置から上位装置に送信する無線装置であって、
バッファを有し、前記下位装置からのパケット入力を監視し、前記下位装置からのパケット入力を検出すると、通信状況を報告すると共に、自装置のパケットを送信中である場合に前記下位装置からのパケットを前記バッファに記憶する監視／バッファと、
前記制御部から出力されたパケットを前記上位装置に送信する物理層と、
前記通信状況を入力すると、キャリアセンス信号を前記制御部に出力し、前記キャリアセンス信号を出力した際に前記制御部から前記物理層にパケットが出力されている場合にはコリジョン信号も出力する状態報告／再送要求部と、
前記監視／バッファから出力される下位装置のパケットと前記物理層から出力される自装置のパケットのいずれかを選択して前記上位装置に送信するセレクタとを備え、
前記制御部は、前記キャリアセンス信号の入力により自装置のパケットを前記物理層に出力するのを停止し、前記コリジョン信号の入力により前記物理層に出力した自装置のパケットを、時間をおいて前記物理層に再送し、
前記セレクタは、前記下位装置からのパケットが入力されていない状態で前記物理層からの自装置のパケットが入力された場合には、当該パケットを選択するものの、前記自装置のパケットを送信しようとした際に前記下位装置からのパケットが到達した場合には、前記監視／バッファから入力される下位装置のパケットを優先して選択することを特徴とする無線装置。
【発明の詳細な説明】
【技術分野】
【０００１】
本発明は、基地局に縦列接続する無線装置に係り、特に、１つのＭＡＣ（Media Access Controller）の制御で、下位からメンテナンス情報のパケットと自装置内におけるメンテナンス情報のパケットとの衝突を防止し、パケットロスをなくすことができる無線装置に関する。
【背景技術】
【０００２】
［従来の技術］
ディジタル移動体通信では、エリア全域をカバーするために、高出力の送信増幅器が用いられる。高出力の送信増幅器は、送信増幅器が基地局と同一の架に設置するのが主流であった。
しかし、送信増幅器がアンテナに接続される場合、同軸ケーブルにて接続されるが、装置の保守上、アンテナと送信増幅器間は、５０ｍ〜２００ｍも離される場合があり、その間での劣化が問題となっていた。
また、別の問題として、増幅器（ＰＡ）は、基地局の一部として取り扱われることが常識であり、その為、基地局は各地へ分散し、保守上、運用コスト上問題であった。
【０００３】
上述の問題を解決するために、ＲＯＦ（Radio On Fiber）、ＲＲＨ（Remote Radio Head）なる概念が生み出された。これは、基地局から、アンテナに近い無線部を切り離し、両者を光ファイバで接続する構成である。
【０００４】
また、高速ディジタル伝送装置が生み出された。これは基地局と中継機と子機を光ファイバ若しくは同軸ケーブルにて接続することで、基地局が出力する信号をそのまま遠方の不感地帯へ伝送し、サービスエリアの拡大を図るものである。
基地局と中継機は遠距離伝送ができるよう光ファイバを用いるのが一般的である。
光ファイバは、既存の設備を利用する場合は低価格で使用が可能で、運用コストが低減可能であること、各地へ分散するのは、大規模な基地局では無く、比較的軽微な、部分だけであると言うことから、保守上も好ましい形態となっている。
【０００５】
［従来のディジタル信号伝送装置の接続形態：図６］
従来のディジタル信号伝送装置の接続形態を図６に示す。図６は、従来のディジタル信号伝送装置の接続形態を示す概略図である。
図６に示すように、基地局１０１に、送受信増幅器（ＴＲＸ−ＡＭＰ）１０２，１０３が縦列に接続したチェイントポロジー（Chain topology）となっている。
【０００６】
図６において、下位装置へのディジタル伝送を行うポートをMaster Portとし、下位装置のSlave Portと接続する。下位装置は、Slave Portの信号により、上位装置との信号の同期確立及び通信を行う。
【０００７】
基地局１０１で、ＡＭＰ（増幅器）が実装されるところにディジタルＩ／Ｆ（Interface）を実装し、電気信号を光信号に変換するか、若しくはそのままディジタル信号のＩ／Ｆを具備するようにしてもよい。
【０００８】
また、送受信増幅器に送信（ＴＸ）と受信（ＲＸ）の機能をＡＭＰ側に持たせている。
Ｉ／Ｆは、ＡＭＰ側を制御するための制御信号を伝送しなければならないので、ディジタル伝送するのが一般的である。よって送受信データもディジタル化しやすいよう、ＡＭＰにＴＸとＲＸの機能を加え送受信増幅器（ＴＲＸ−ＡＭＰ）にするのが一般的である。
【０００９】
光ファイバ若しくは電気線は、光に変換された信号若しくはディジタル信号を伝送する。最近の標準規格としては、ＣＰＲＩ（Common Public Radio Interface）、ＯＢＳＡＩ（Open Base Station Architecture Initiative）がある。
また、ＴＲＸ−ＡＭＰはアンテナを備えており、基地局からディジタルＩ／Ｆで送られてきた送信データを増幅してアンテナから出力すると共に、受信データを増幅してディジタルＩ／Ｆ経由で基地局に送出する。
【００１０】
尚、図６では、ＴＲＸ−ＡＭＰには、Slave portとMaster portがあり、それぞれ上位と下位とを接続している。
近年、基地局とＴＲＸ−ＡＭＰの距離が離れて位置するため、ディジタルＩ／Ｆは光ファイバを用いることが一般的となっている。
【００１１】
［関連技術］
尚、関連する先行技術として、特開２０１０−２１９８４７号公報「無線通信装置」（株式会社日立国際電気）［特許文献１］、特開２０００−１３４２１７号公報「衝突防止方式」（株式会社日立製作所）［特許文献２］がある。
【００１２】
特許文献１には、回線品質監視部が、スレーブポートで受信した無線信号中に復号異常を検出すると、無線信号出力を迅速に停止させ、当該装置及び下位装置の無線部の破壊を防止することが示されている。
【００１３】
特許文献２には、２つ以上のノードが同時にネットワークにデータ送信を行うと、衝突が発生するため、各ノードがデータ送信後にデータの衝突が発生していないかを監視し、衝突発生時は一定時間待ち合わせた後に、再送することが示されている。
【先行技術文献】
【特許文献】
【００１４】
【特許文献１】特開２０１０−２１９８４７号公報
【特許文献２】特開２０００−１３４２１７号公報
【発明の概要】
【発明が解決しようとする課題】
【００１５】
しかしながら、従来の無線装置では、自装置のデータと下位装置からのデータを上位装置に送信する必要があり、特にメンテナンス情報に関するパケットの衝突を簡易な構成で回避し、パケットロスを容易になくすことが難しいという問題点があった。
【００１６】
尚、特許文献１では、復号異常による無線部の破壊を防止するものであり、特許文献２では、発生した衝突に対してデータを再送して対処するというものであり、衝突そのものを簡易な構成で回避するものではない。
【００１７】
本発明は上記実情に鑑みて為されたもので、１つのＭＡＣの制御で、下位からメンテナンス情報のパケットと自装置内におけるメンテナンス情報のパケットとの衝突を防止し、パケットロスをなくすことができる無線装置を提供することを目的とする。
【課題を解決するための手段】
【００１８】
上記従来例の問題点を解決するための本発明は、ネットワークのメディアアクセス制御機能を一つ備える制御部を有し、メンテナンス情報のパケットを下位装置から上位装置に送信する無線装置であって、バッファを有し、下位装置からのパケット入力を監視し、下位装置からのパケット入力を検出すると、通信状況を報告すると共に、自装置のパケットを送信中である場合に下位装置からのパケットをバッファに記憶する監視／バッファと、制御部から出力されたパケットを上位装置に送信する物理層と、通信状況を入力すると、キャリアセンス信号を制御部に出力し、キャリアセンス信号を出力した際に制御部から物理層にパケットが出力されている場合にはコリジョン信号も出力する状態報告／再送要求部と、監視／バッファから出力される下位装置のパケットと物理層から出力される自装置のパケットのいずれかを選択して上位装置に送信するセレクタとを備え、制御部は、キャリアセンス信号の入力により自装置のパケットを物理層に出力するのを停止し、コリジョン信号の入力により物理層に出力した自装置のパケットを、時間をおいて物理層に再送し、セレクタは、下位装置からのパケットが入力されていない状態で物理層からの自装置のパケットが入力された場合には、当該パケットを選択するものの、自装置のパケットを送信しようとした際に下位装置からのパケットが到達した場合には、監視／バッファから入力される下位装置のパケットを優先して選択することを特徴とする。
【発明の効果】
【００１９】
本発明によれば、監視／バッファを有し、下位装置からのパケット入力を監視し、下位装置からのパケット入力を検出すると、通信状況を報告すると共に、自装置のパケットを送信中である場合に下位装置からのパケットをバッファに記憶し、物理層が制御部から出力されたパケットを上位装置に送信し、状態報告／再送要求部が通信状況を入力すると、キャリアセンス信号を制御部に出力し、キャリアセンス信号を出力した際に制御部から物理層にパケットが出力されている場合にはコリジョン信号も出力し、セレクタが監視／バッファから出力される下位装置のパケットと物理層から出力される自装置のパケットのいずれかを選択して上位装置に送信し、制御部が、キャリアセンス信号の入力により自装置のパケットを物理層に出力するのを停止し、コリジョン信号の入力により物理層に出力した自装置のパケットを、時間をおいて物理層に再送し、セレクタが、下位装置からのパケットが入力されていない状態で物理層からの自装置のパケットが入力された場合には、当該パケットを選択するものの、自装置のパケットを送信しようとした際に下位装置からのパケットが到達した場合には、監視／バッファから入力される下位装置のパケットを優先して選択する無線装置としているので、１つのメディアアクセス制御機能（ＭＡＣ）で、下位からメンテナンス情報のパケットと自装置内におけるメンテナンス情報のパケットとの衝突を防止し、パケットロスをなくすことができる効果がある。
【図面の簡単な説明】
【００２０】
【図１】光伝送装置の概略図である。
【図２】ＣＰＲＩフォーマット例を示す図である。
【図３】Ｃ−Ｐｌａｎｅマップを示す図である。
【図４】無線装置の縦列接続を示す図である。
【図５】監視／バッファの処理のフローチャートである。
【図６】従来のディジタル信号伝送装置の接続形態を示す概略図である。
【発明を実施するための形態】
【００２１】
本発明の実施の形態について図面を参照しながら説明する。
［実施の形態の概要］
本発明の実施の形態に係る無線装置は、ネットワークのメディアアクセス制御（ＭＡＣ）機能を一つ備える制御部を有し、メンテナンス情報のパケットを下位装置から上位装置に送信する装置であって、監視／バッファに下位装置からのパケットが入力されると、制御部に自装置のパケット送信を停止させ、制御部が自装置のパケットを物理層に出力中に監視／バッファが下位装置からパケットを入力すると、物理層からのパケット送信を停止して下位装置のパケットを上位装置に送信し、物理層からのパケットが上位装置に送信中であれば、監視／バッファは下位装置からのパケットをバッファリングして、物理層からのパケット送信完了後にバッファリングしたパケットを上位装置に送信するものであり、１つのＭＡＣの制御で、下位装置からメンテナンス情報のパケットと自装置内におけるメンテナンス情報のパケットとの衝突を防止し、パケットロスをなくすことができるものである。
【００２２】
［光伝送装置：図１］
本発明の実施の形態に係る無線装置が用いられる光伝送装置について図１を参照しながら説明する。図１は、光伝送装置の概略図である。
本発明の実施の形態に係る光伝送装置は、図１に示すように、既設基地局（ＢＴＳ：Base Transceiver Station）１と、基地局インタフェース（ＢＴＳ−Ｉ／Ｆ）２とが同軸ケーブルで接続され、ＢＴＳ−Ｉ／Ｆ２に光ファイバ３を介して中継機４に接続している。
更に、中継機４には移動端末に無線接続する子機５Ａ，５Ｂ，５Ｃが光ファイバで接続している。
【００２３】
［光伝送装置の各部］
光伝送装置の各部を説明する。
ＢＴＳ−Ｉ／Ｆ２は、ＢＴＳ１の光インタフェース装置で、ＢＴＳ１が出力する無線信号用の電気信号を同軸接続して電気信号である無線信号用のディジタル信号を光信号に変換し、光ファイバ３にて遠方の中継機４に伝送する。
また、ＢＴＳ−Ｉ／Ｆ２は、中継機４から送られてくる子機５から受け取った無線信号用のディジタル信号を光信号で受け取り、その光信号を電気に変換して基地局に出力する。
【００２４】
中継機４は、光ファイバ３を介して送られてきた無線信号用のディジタル信号を電気信号に変換し、その信号を子機５に分配し出力する。
また、子機５から送られてきた無線信号用のディジタル信号を多重し、光信号に変換して光ファイバ３を経由してＢＴＳ−Ｉ／Ｆ２に出力する。
【００２５】
子機５Ａ，５Ｂ，５Ｃは、中継機４から送られてきた無線信号用のディジタル信号を増幅し移動端末に対して送信し、また、移動端末が送信した信号を受信増幅し、中継機４に向けて送信する。つまり、子機は、ＴＲＸ−ＡＭＰの機能を備えている。
このように、光伝送装置とは、不感地帯であるビル９等に長距離伝送を行い、サービスエリアの拡大を図るシステムである。
【００２６】
［ディジタル信号伝送装置の通信方法：図２］
ディジタル信号伝送装置における制御及びメンテナンス情報の通信方法として、ディジタル伝送Ｉ／ＦであるＣＰＲＩ（Common Public Radio Interface）のフォーマットを例をとして図２に示す。図２は、ＣＰＲＩフォーマット例を示す図である。
ＣＰＲＩでは、図２に示すように、制御情報としてのＣ−Ｐｌａｎｅ（Control-Plane）と無線データのＵ−Ｐｌａｎｅ（User-Plane）から形成される。
【００２７】
この内、制御及びメンテナンスの情報は、Ｃ−Ｐｌａｎｅ上に割り当てられている、Ｓｌｏｗ  Ｃ＆Ｍ領域を用いてＨＤＬＣ（High Level Data Link Control）通信を行うケースと、Ｆａｓｔ  Ｃ＆Ｍ領域を用いてＥｔｈｅｒｎｅｔ（登録商標）通信を行うケースがある。
ＣＰＲＩフォーマットは、以下の1つのＢａｓｉｃ  Ｆｒａｍｅ（＝１Ｃｈｉｐ）上に１つのＣ−Ｐｌａｎｅが存在し、２５６個のＢａｓｉｃ  Ｆｒａｍｅで１Ｈｙｐｅｒ  Ｆｒａｍｅ（６６．６μｓｅｃ）を形成する。
従って、１Ｈｙｐｅｒ  Ｆｒａｍｅ中には、２５６個のＣ−Ｐｌａｎｅが存在し、ディジタル伝送の速度が１．２２８８Ｇｂｐｓ時は、最大６１．４Ｍｂｐｓ（１６ｂｉｔ×２５６／６６．６μｓｅｃ）の情報の転送ができる。また２．４５７６Ｇｂｐｓ時は、最大で１２２．８８Ｍｂｐｓとなる。
【００２８】
［Ｃ−Ｐｌａｎｅマップ：図３］
また、Ｃ−Ｐｌａｎｅのマップを図３に示す。図３は、Ｃ−Ｐｌａｎｅマップを示す図である。
図３に示すように、Ｎｓ＝０，Ｘｓ＝０がＣｏｍｍａ  Ｂｙｔｅであり、Ｎｓ＝０，Ｘｓ＝１，２，３に同期とタイミングが割り当てられる。Ｎｓ＝１，Ｘｓ＝０，１，２，３にＳｌｏｗ  Ｃ＆Ｍ  Ｌｉｎｋが割り当てられる。そして、Ｎｓ＝２０〜６３，Ｘｓ＝０，１，２，３にＦａｓｔ  Ｃ＆Ｍ  Ｌｉｎｋが割り当てられる。Ｐｏｉｎｔｅｒ  ｐはＦａｓｔ  Ｃ＆Ｍのポインタを示している。
【００２９】
図６に示すようなChain Topology（縦列接続又はカスケード接続）は、ディジタルＩ／Ｆの性質上、メンテナンス情報通信を１対多で行うことが容易ではない。理由は、基地局装置から各無線装置への情報は、同じ信号が到達するため、ディジタルＩ／Ｆ上の通信に問題はないが、各無線装置から基地局装置への信号は、縦列接続される場合、１本のディジタルＩ／Ｆ上へ各装置の信号を多重しなければならず、容易に通信を確立させることができないからである。
【００３０】
例として、ディジタルＩ／Ｆ上のメンテナンス情報の割り当てるＣ−Ｐｌａｎｅの位置を無線装置毎に分ける方法がある。しかし、接続される無線装置が多くなるほど、ディジタルＩ／Ｆ上の制御情報領域を圧迫し、また、各無線装置では、自装置の割り当てられたＣ−Ｐｌａｎｅ部分を既知としなければならず、情報のやりとりが複雑になる。
【００３１】
本発明の実施の形態では、メンテナンス情報の通信は、Ｆａｓｔ  Ｃ＆Ｍ領域を使用し、Ｅｔｈｅｒｎｅｔ（登録商標）で、ＣＳＭＡ／ＣＤ（Carrier Sense Multiple Access with Collision Detection：搬送波感知多重アクセス／衝突検出）方式を用いる。
尚、無線装置がＭＡＣを２つ搭載するシステムでは、上位装置用の通信と下位装置用の通信と分けることができる。
【００３２】
この場合、ＭＡＣを搭載するＣＰＵ（Central Processing Unit）が上位装置と下位装置との間のパケットを仲介することで、パケットの衝突は発生せず、メンテナンス情報の通信を縦列接続した場合でも構成が可能になる。しかしながら、ＭＡＣを２つ使用するため、装置のコストアップにつながり、また、仲介するＣＰＵの処理が大きくなることが予想される。
【００３３】
ＭＡＣを２つ備えるＣＰＵを用いた場合、図６の接続形態にて、ＴＲＸ−ＡＭＰ１０２とＴＲＸ−ＡＭＰ１０３の接続を切ることなく、ＴＲＸ−ＡＭＰ１０２を装置再起動することができない。装置再起動は、必ずＣＰＵのリセットが必要であり、ＣＰＵは、上位装置及び下位装置のパケットを仲介することができないため、基地局１０１とＴＲＸ−ＡＭＰ１０３のメンテナンス情報通信ができなくなる。これは、図６の接続形態で考えられる、部分的な装置再起動への対応が困難になることを意味する。
【００３４】
そこで、本実施の形態では、ＭＡＣを１つ備える無線装置を用いたシステムを構成し、パケットのロスを０にすることである。また、上位装置から下位装置への通信は、共通の信号をグローバルに展開するため、ＭＡＣは１つで容易に通信を確立できる。従って、本実施の形態では、下位装置から上位装置への通信を１つのＭＡＣで確立する技術について説明する。
【００３５】
［無線装置：図４］
本発明の実施の形態に係る無線装置（本装置）について図４を参照しながら説明する。図４は、無線装置の縦列接続を示す図である。
本装置の縦列接続は、図４に示すように、上位の無線装置１１と下位の無線装置２１とを基本的に有している。図４では、説明を簡単にするために２つの無線装置を示しているが、実際は、複数台の無線装置が縦列接続するものである。
【００３６】
［各部］
本装置の各部について具体的に説明する。
本装置１１は、図４に示すように、ＣＰＵ１２と、ＭＩＩ（Media Independent Interface）１３と、状態報告／再送要求部１４と、物理層（ＰＨＹ：PHYsical Layer）１５と、セレクタ（ＳＥＬ）１６と、監視／バッファ１７とを備えている。
尚、無線装置２１も同様の構成となっている。
【００３７】
ＣＰＵ１２は、１つのＭＡＣを搭載した制御部である。
また、ＣＰＵ１２は、状態報告／再送要求部１４からキャリアセンス（ＣＲＳ）信号が入力されると、パケット送信待ち状態になる。
また、ＣＰＵ１２は、状態報告／再送要求部１４からコリジョン（ＣＤ）信号が入力されると、特定の時間をおいてパケットの再送を行う。
ＭＩＩ１３は、ＣＰＵ１２とＰＨＹ１５との間のインタフェース（Ｉ／Ｆ）である。
【００３８】
状態報告／再送要求部１４は、ＰＨＹ１５の一部かつＭＩＩ１３の一部であり、監視／バッファ１７から通信状況の報告（下位装置からのパケット到達の報告）を入力すると、リンクの使用状況を報告するキャリアセンス（ＣＲＳ）信号をＭＡＣ（ＣＰＵ１２）へ送信する。
また、状態報告／再送要求部１４は、ＣＲＳ信号を送信した際に、ＣＰＵ１２からパケットがＰＨＹ１５に出力された場合（但し、当該パケットは上位装置にはまだ送信されていない場合）は、通信パケットの衝突を示すコリジョン（ＣＤ）信号をＭＡＣ（ＣＰＵ１２）へ送信する。
ＰＨＹ１５は、ネットワークの物理的接続・伝送方式を管理する。
セレクタ（ＳＥＬ）１６は、自装置のパケットと下位装置からのパケットを切り替える。
【００３９】
監視／バッファ１７は、下位装置からのパケットを監視し、パケットが到達した際は、状態報告／再送要求部１４へ通信状況の報告を行う。
また、監視／バッファ１７は、自装置のタイミングに合わせるため、及び自装置のパケット送信中の衝突を回避するためのバッファを備える。
更に、監視／バッファ１７は、ＳＥＬ１６から制御信号（ＰＨＹ１５からパケット送信されていることを示す信号）を入力し、ＰＨＹ１５からのパケットが送信されるために切り替えられていることを認識する。
【００４０】
［パケット送信の衝突回避］
下位装置から上位装置へのパケットの送信について衝突を回避する場合を、３つのケースについて説明する。図４において、点線の矢印は、パケットの流れを示す。
【００４１】
［ケース１］
ケース１は、装置２１からパケットが送信中に装置１１がパケットを送信しようとする場合である。
装置１１では、監視／バッファ１７にて装置２１のパケットを送信中であることを状態報告／再送要求部１４に通知し、ＭＩＩ１３を通してＣＲＳ信号をＣＰＵ１２に送信する。すると、ＣＰＵ１２は、パケット送信が待ち状態になる。
監視／バッファ１７にて装置２１のパケットの送信が完了した後に、状態報告／再送要求部１４はＣＰＵ１２へのＣＲＳ信号を停止し、装置１１はパケットを送信可能状態となる。
【００４２】
［ケース２］
ケース２は、装置１１がパケットを送信しようとした際に、装置２１からのパケットが到達した場合である。
装置１１の監視／バッファ１７は、状態報告／再送要求部１４へパケットの到達を伝える。このとき、状態報告／再送要求部１４は、ＣＲＳ信号をＣＰＵ１２へ送信するが、その前にＣＰＵ１２からパケットがＰＨＹ１５へ送信された場合、状態報告／再送要求部１４は、パケットの衝突の場合と判断し、ＣＤ信号をＣＰＵ１２へ送信する。
【００４３】
ＣＰＵ１２は、ＣＤ信号をＭＩＩ１３にアクセス中に受信すると、送信中のパケットが衝突する場合と判断し、ランダム時間の間をおいたのち、パケットの再送を行う。装置２１からきたパケットは、優先的に上位装置へ転送される。
【００４４】
［ケース３］
ケース３は、装置１１がパケットを送信中に、装置２１からのパケットが到達した場合である。
装置１１のパケットは、既にＳＥＬ１６にて上位装置へ転送中であるため、装置２１のパケットを切り替えることができない。切り替えてしまうと、装置１１のパケットはロスしてしまうことになる。
【００４５】
この場合は、監視／バッファ１７は、ＳＥＬ１６からＰＨＹ１５のパケットを送信中である旨の制御信号が入力され、装置２１のパケットを一旦バッファに保持する。
装置１１のパケットの転送が完了と共に、ＳＥＬ１６は、ＰＨＹ１５のパケット送信を完了した旨の制御信号を監視／バッファ１７に出力し、スイッチを装置２１のパケット転送に切り替え、監視／バッファ１７は、バッファに保持されたパケットをＳＥＬ１６に出力する。このようにして、装置２１のパケット転送に切り替わった後は、ケース１へと移行する。
【００４６】
［監視／バッファの処理：図５］
次に、監視／バッファの処理について図５を参照しながら説明する。図５は、監視／バッファの処理のフローチャートである。
監視／バッファ１７は、下位装置からのメンテナンス情報のパケットが入力されたか否かを監視し（Ｓ１）、入力された場合（Ｙｅｓの場合）、状態報告／再送要求部１４に通信状態を報告する（Ｓ２）。
その後、監視／バッファ１７は、下位装置からのパケットを、ＳＥＬ１６を介して上位装置へ送信する（Ｓ３）。
【００４７】
判定処理Ｓ１で、下位装置からのメンテナンス情報のパケットが入力されなかった場合（Ｎｏの場合）、ＰＨＹ１５からのパケットをＳＥＬ１６が選択出力中であるか否かを判定し（Ｓ４）、選択出力中でなければ（Ｎｏの場合）、判定処理Ｓ１に戻る。
ＰＨＹ１５からのパケットをＳＥＬ１６が選択出力中であれば（Ｙｅｓの場合）、下位装置からのパケットをバッファリングし（Ｓ５）、ＰＨＹ１５からのパケットを通信完了したか否かを判定する（Ｓ６）。
【００４８】
ＰＨＹ１５からのパケットを通信完了したか否かは、ＳＥＬ１６からの制御信号により判定する。
判定処理Ｓ６でＰＨＹ１５からのパケットの通信が完了していなければ（Ｎｏの場合）、処理Ｓ５に戻る。
また、判定処理Ｓ６でＰＨＹ１５からのパケットの通信が完了していれば（Ｙｅｓの場合）、バッファしたパケットを、ＳＥＬ１６を介して上位装置へ送信する（Ｓ７）。
このようにして監視／バッファ１７での処理が行われる。
【００４９】
［実施の形態の効果］
本装置によれば、各無線装置から基地局へのメンテナンス情報転送に関して、下位装置からの情報通信を優先にし、上位装置は、下位装置からの通信情報を監視して、ＣＳＭＡ/ＣＤ方式のＣＲＳ信号及びＣＤ信号を使用することで、各無線装置のＭＡＣは１つで済み、また、メンテナンス情報通信のパケットをロスすることなく通信を確立することができる効果がある。
【産業上の利用可能性】
【００５０】
本発明は、１つのＭＡＣの制御で、下位からメンテナンス情報のパケットと自装置内におけるメンテナンス情報のパケットとの衝突を防止し、パケットロスをなくすことができる無線装置に好適である。
【符号の説明】
【００５１】
１...基地局（ＢＴＳ）、  ２...基地局インタフェース（ＢＴＳ−Ｉ／Ｆ）、  ３...光ファイバ、  ４...中継機、  ５Ａ，５Ｂ，５Ｃ...子機、  ９...ビル、  １１，２１...無線装置、  １２，２２...ＣＰＵ、  １３，２３...ＭＩＩ、  １４，２４...状態報告／再送要求部、  １５，２５...物理層（ＰＨＹ）、  １６，２６...セレクタ（ＳＥＬ）、  １７，２７...監視／バッファ、  １０１...基地局、  １０２，１０３...送受信増幅器（ＴＲＸ−ＡＭＰ）
【図１】
0005593216.tif 000002
【図２】
0005593216.tif 000003
【図３】
0005593216.tif 000004
【図４】
0005593216.tif 000005
【図５】
0005593216.tif 000006
【図６】
0005593216.tif 000007